(57)【要約】【課題】本発明は組み立て式落ち壊れ防止メガネケースを開示した。【解決手段】第一外殻と第二外殻とを含み、前記第一外殻と第二外殻との左側内壁にはいずれも第一エアーバッグが固定的に設けられ、前記第一外殻と前記第二外殻とが係合して外チャンバが形成され、前記外チャンバの中には二組の内殻が左右に対称的にスライドできるように設けられ、二組の互いに係合する前記内殻の間には内チャンバが形成され、前記内チャンバの中にはメガネを保存する保存機構が設けられ、前記第一外殻と前記第二外殻との右側にはいずれも蓋が設けられ、二組の蓋の間には大円溝が設けられ、前記大円溝の中には回転盤機構が設けられる。【選択図】図１
2020175139.tif 000002
【特許請求の範囲】
【請求項１】
正面視で、第一外殻と第二外殻とを含み、前記第一外殻と第二外殻との左側内壁にはいずれも第一エアーバッグが固定的に設けられ、前記第一外殻と第二外殻との底部が軸ピンによりヒンジによって連結され、前記第一外殻と前記第二外殻とが係合して外チャンバが形成され、前記外チャンバの中には二組の内殻が左右に対称的にスライドできるように設けられ、前記内殻が互いに係合し円柱形を形成し、二組の互いに係合する前記内殻の間には内チャンバが形成され、前記内チャンバの中にはメガネを保存する保存機構が設けられ、前記内殻の底端には二組の連結ロッドがヒンジによって連結され、二組の前記連結ロッドがヒンジによって連結され、前記第一外殻と前記第二外殻との右側にはいずれも蓋が設けられ、前記蓋の左側末端には半円形ねじ山リングが固定的に設けられ、前記半円形ねじ山リングが前記第一外殻と前記第二外殻とねじ山によって連結され、二組の前記蓋が係合し円を形成し、二組の蓋の間には大円溝が設けられ、前記大円溝の中には回転盤機構が設けられ、前記回転盤機構は二組の蓋を共に固定することができ、前記蓋の左側端面には二組の第二エアーバックが固定的に設けられ、前記第一外殻と前記第二外殻との内側端壁にはいずれも二組の転動溝が設けられ、二組の前記内殻の外壁にはいずれも固定ブロックが固定的に設けられ、前記固定ブロックの中にはバネ溝が設けられ、前記バネ溝の中には円柱ブロックがスライドできるように設けられ、前記円柱ブロックが衝撃吸収バネにより前記バネ溝の中に取り付けられ、前記円柱ブロックの片側端面には回転軸が回転できるように設けられ、前記回転軸の一端にはローラーが回転できるように設けられ、前記ローラーが前記転動溝の中に回転できるように設けられることを特徴とする組み立て式落ち壊れ防止メガネケース。
【請求項２】
前記保存機構は前記内殻の上下両内壁に固定的に設けられた第三エアバッグを含み、前後両側に位置している前記内殻の内壁にはいずれも大円柱ブロックが固定的に設けられ、前記大円柱ブロックの中には円柱チャンバが設けられ、前記円柱チャンバの中には小円ブロックがスライドできるように設けられ、前記小円ブロックの一端と前記円柱チャンバの片側端壁との間には圧力バネが取り付けられ、前記小円ブロックのもう一側には押しロッドが固定的に設けられ、前記押しロッドの一端には矩形板が固定的に設けられ、前記矩形板の一端には第四エアーバッグが固定的に設けられ、前記第四エアーバッグがメガネをきつく挟み固定し、後ろ側に位置している前記内殻の内壁には支持柱が固定的に設けられ、前記支持柱には支持ブロックが固定的に設けられ、前記支持ブロックの前側端面には凹溝が設けられ、内殻を開けることによりメガネを凹溝の中に置き、内殻を閉めることにより、第四エアーバッグがメガネをきつく押し固定することを特徴とする請求項１に記載の組み立て式落ち壊れ防止メガネケース。
【請求項３】
前記回転盤機構は前記大円溝の中に回転できるように設けられた半円リングを含み、前記半円リングが上下に対称的に二組設けられ、二組の前記半円リングの間には円盤形が形成され、互いに係合する前記半円リングの右端には小円溝が設けられ、前記半円リングの中には二組の引っ掛かり溝が設けられ、前記引っ掛かり溝の中にはいずれも復帰スライド板がスライドできるように設けられ、前記大円溝の上下端壁には前記引っ掛かり溝と相対するスライド溝が設けられ、前記スライド溝の中には引っ掛かり板がスライドできるように設けられ、前記引っ掛かり板の片側端面には復帰機構が固定的に設けられ、半円リングを回転させることにより、引っ掛かり板を引っ掛かり溝の中に引っ掛け、これにより二つの蓋を共に固定し、固定後、半円形ねじ山リングにより蓋を第一外殻と第二外殻との右端に回して締め、第一外殻と第二外殻との右端を密封し、密封後、復帰スライド板を押すことにより、再び半円形ねじ山リングを反方向に回転させ、引っ掛かり板をスライド溝の中に押し戻らせ、これにより第一外殻と第二外殻とを開けることができ、ロック作用を果たすことを特徴とする請求項１に記載の組み立て式落ち壊れ防止メガネケース。
【発明の詳細な説明】
【技術分野】
【０００１】
本発明はメガネケース技術分野を取り上げて、具体的には組み立て式落ち壊れ防止メガネケースである。
【背景技術】
【０００２】
ほとんどの市販のメガネケースは構造が簡単で、機能が単一である一方、落ち壊れ防止機能を持っていなく、地面に落ちた時に、メガネがメガネケースから出て壊れやすく、従って、組み立て式落ち壊れ防止メガネケースが必要とされる。
【先行技術文献】
【特許文献】
【０００３】
【特許文献１】中国特許出願公開第１０３４７９０１９号明細書
【発明の概要】
【発明が解決しようとする課題】
【０００４】
本発明の目的は組み立て式落ち壊れ防止メガネケースを提供し、それは上記の現在の技術中の問題を解決できる。
【課題を解決するための手段】
【０００５】
本発明の組み立て式落ち壊れ防止メガネケースは、第一外殻と第二外殻とを含み、前記第一外殻と第二外殻との左側内壁にはいずれも第一エアーバッグが固定的に設けられ、前記第一外殻と第二外殻との底部が軸ピンによりヒンジによって連結され、前記第一外殻と前記第二外殻とが係合して外チャンバが形成され、前記外チャンバの中には二組の内殻が左右に対称的にスライドできるように設けられ、前記内殻が互いに係合し円柱形を形成し、二組の互いに係合する前記内殻の間には内チャンバが形成され、前記内チャンバの中にはメガネを保存する保存機構が設けられ、前記内殻の底端には二組の連結ロッドがヒンジによって連結され、二組の前記連結ロッドがヒンジによって連結され、前記第一外殻と前記第二外殻との右側にはいずれも蓋が設けられ、前記蓋の左側末端には半円形ねじ山リングが固定的に設けられ、前記半円形ねじ山リングが前記第一外殻と前記第二外殻とねじ山によって連結され、二組の前記蓋が係合し円を形成し、二組の蓋の間には大円溝が設けられ、前記大円溝の中には回転盤機構が設けられ、前記回転盤機構は二組の蓋を共に固定することができ、前記蓋の左側端面には二組の第二エアーバックが固定的に設けられ、前記第一外殻と前記第二外殻との内側端壁にはいずれも二組の転動溝が設けられ、二組の前記内殻の外壁にはいずれも固定ブロックが固定的に設けられ、前記固定ブロックの中にはバネ溝が設けられ、前記バネ溝の中には円柱ブロックがスライドできるように設けられ、前記円柱ブロックが衝撃吸収バネにより前記バネ溝の中に取り付けられ、前記円柱ブロックの片側端面には回転軸が回転できるように設けられ、前記回転軸の一端にはローラーが回転できるように設けられ、前記ローラーが前記転動溝の中に回転できるように設けられる。
【０００６】
更の技術プラン、前記保存機構は前記内殻の上下両内壁に固定的に設けられた第三エアバッグを含み、前後両側に位置している前記内殻の内壁にはいずれも大円柱ブロックが固定的に設けられ、前記大円柱ブロックの中には円柱チャンバが設けられ、前記円柱チャンバの中には小円ブロックがスライドできるように設けられ、前記小円ブロックの一端と前記円柱チャンバの片側端壁との間には圧力バネが取り付けられ、前記小円ブロックのもう一側には押しロッドが固定的に設けられ、前記押しロッドの一端には矩形板が固定的に設けられ、前記矩形板の一端には第四エアーバッグが固定的に設けられ、前記第四エアーバッグがメガネをきつく挟み固定し、後ろ側に位置している前記内殻の内壁には支持柱が固定的に設けられ、前記支持柱には支持ブロックが固定的に設けられ、前記支持ブロックの前側端面には凹溝が設けられ、内殻を開けることによりメガネを凹溝の中に置き、内殻を閉めることにより、第四エアーバッグがメガネをきつく押し固定する。
【０００７】
更の技術プラン、前記回転盤機構は前記大円溝の中に回転できるように設けられた半円リングを含み、前記半円リングが上下に対称的に二組設けられ、二組の前記半円リングの間には円盤形が形成され、互いに係合する前記半円リングの右端には小円溝が設けられ、前記半円リングの中には二組の引っ掛かり溝が設けられ、前記引っ掛かり溝の中にはいずれも復帰スライド板がスライドできるように設けられ、前記大円溝の上下端壁には前記引っ掛かり溝と相対するスライド溝が設けられ、前記スライド溝の中には引っ掛かり板がスライドできるように設けられ、前記引っ掛かり板の片側端面には復帰機構が固定的に設けられ、半円リングを回転させることにより、引っ掛かり板を引っ掛かり溝の中に引っ掛け、これにより二つの蓋を共に固定し、固定後、半円形ねじ山リングにより蓋を第一外殻と第二外殻との右端に回して締め、第一外殻と第二外殻との右端を密封し、密封後、復帰スライド板を押すことにより、再び半円形ねじ山リングを反方向に回転させ、引っ掛かり板をスライド溝の中に押し戻らせ、これにより第一外殻と第二外殻とを開けることができ、ロック作用を果たす。
【０００８】
使用する時、まず第一外殻と第二外殻を共に覆い、そして二組の内殻を円柱形に形成させ、ローラーにより二組の内殻を第一外殻とい第二外殻とが形成した外チャンバの中に入れ、そして二組の半円リングを回転させ、引っ掛かり板を引っ掛かり溝の中に引っ掛かり、そして半円形ねじ山リングを第一外殻と第二外殻との右側に回して締め、外チャンバの右側を密封し、きつく締めた後に復帰スライド板を押し、再び半円リングを反方向に回転させ、引っ掛かり板をスライド溝の中に押し戻らせ、これにより第一外殻と第二外殻とを開けることができ、その時に手動で第一外殻と第二外殻とを開け、ローラーが転動溝の中に引っ掛かられたため、互いに係合する内殻も開けられ、その時メガネを凹溝の中に置き支持し、第一外殻と第二外殻とを閉め、本装置を洗浄する時、蓋を回して開け、内殻を右側から引き出すことだけで第一外殻と第二外殻とを洗浄でき、装置が地面に落ちた時、第二エアーバッグと第一エアーバッグとが内殻に緩衝作用を果たし、第四エアーバッグはメガネに緩衝作用を果たす。
【発明の効果】
【０００９】
伝統的なメガネケースと比べ、本発明のメガネケースは引っ掛かり板の作用により第一外殻と第二外殻とをロックすることができ、地面に落ちた時に開くことがなく、メガネが中から出て壊れることを避け、同時に本発明のメガネケースは第四エアーバッグと第一エアーバッグなどの一セットの保護機構をつけ、メガネがメガネケースと直接に接触することがなく、メガネの壊れを避ける。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の組み立て式落ち壊れ防止メガネケースの内部全体構成略図
【図２】図２は本発明の図１のＣ―Ｃの略図
【図３】図３は本発明の支持柱の側面略図
【図４】図４は本発明の蓋の側面略図
【図５】図５は本発明の蓋の右側断面略図
【図６】図６は本発明の第一外殻と第二外殻とが開いた時の略図
【図７】図７は図２のＡの部分拡大略図
【図８】図８は図２のＢの部分拡大略図
【発明を実施するための形態】
【００１２】
図１〜８を参照し、本発明の組み立て式落ち壊れ防止メガネケースは、第一外殻１０と第二外殻２０とを含み、前記第一外殻１０と第二外殻２０との左側内壁にはいずれも第一エアーバッグ１３が固定的に設けられ、前記第一外殻１０と第二外殻２０との底部が軸ピン１８によりヒンジによって連結され、前記第一外殻１０と前記第二外殻２０とが係合して外チャンバ１１が形成され、前記外チャンバ１１の中には二組の内殻１２が左右に対称的にスライドできるように設けられ、前記内殻１２が互いに係合し円柱形を形成し、二組の互いに係合する前記内殻１２の間には内チャンバ２２が形成され、前記内チャンバ２２の中にはメガネを保存する保存機構９１が設けられ、前記内殻１２の底端には二組の連結ロッド２７がヒンジによって連結され、二組の前記連結ロッド２７がヒンジによって連結され、前記第一外殻１０と前記第二外殻２０との右側にはいずれも蓋１５が設けられ、前記蓋１５の左側末端には半円形ねじ山リング１６が固定的に設けられ、前記半円形ねじ山リング１６が前記第一外殻１０と前記第二外殻２０とねじ山によって連結され、二組の前記蓋１５が係合し円を形成し、二組の蓋１５の間には大円溝６０が設けられ、前記大円溝６０の中には回転盤機構９２が設けられ、前記回転盤機構９２は二組の蓋を共に固定することができ、前記蓋１５の左側端面には二組の第二エアーバック１４が固定的に設けられ、前記第一外殻１０と前記第二外殻２０との内側端壁にはいずれも二組の転動溝４６が設けられ、二組の前記内殻１２の外壁にはいずれも固定ブロック４９が固定的に設けられ、前記固定ブロック４９の中にはバネ溝５１が設けられ、前記バネ溝５１の中には円柱ブロック４８がスライドできるように設けられ、前記円柱ブロック４８が衝撃吸収バネ５０により前記バネ溝５１の中に取り付けられ、前記円柱ブロック４８の片側端面には回転軸４７が回転できるように設けられ、前記回転軸４７の一端にはローラー４５が回転できるように設けられ、前記ローラー４５が前記転動溝４６の中に回転できるように設けられる。
【００１３】
前記保存機構９１は前記内殻１２の上下両内壁に固定的に設けられた第三エアバッグ１９を含み、前後両側に位置している前記内殻１２の内壁にはいずれも大円柱ブロック５２が固定的に設けられ、前記大円柱ブロック５２の中には円柱チャンバ５３が設けられ、前記円柱チャンバ５３の中には小円ブロック５５がスライドできるように設けられ、前記小円ブロック５５の一端と前記円柱チャンバ５３の片側端壁との間には圧力バネ５４が取り付けられ、前記小円ブロック５５のもう一側には押しロッド５６が固定的に設けられ、前記押しロッド５６の一端には矩形板３３が固定的に設けられ、前記矩形板３３の一端には第四エアーバッグ２１が固定的に設けられ、前記第四エアーバッグ２１がメガネ２４をきつく挟み固定し、後ろ側に位置している前記内殻１２の内壁には支持柱２５が固定的に設けられ、前記支持柱２５には支持ブロック３１が固定的に設けられ、前記支持ブロック３１の前側端面には凹溝３０が設けられ、内殻１２を開けることによりメガネ２４を凹溝３０の中に置き、内殻１２を閉めることにより、第四エアーバッグ２１がメガネ２４をきつく押し固定する。
【００１４】
前記回転盤機構９２は前記大円溝６０の中に回転できるように設けられた半円リング３７を含み、前記半円リング３７が上下に対称的に二組設けられ、二組の前記半円リング３７の間には円盤形が形成され、互いに係合する前記半円リング３７の右端には小円溝３８が設けられ、前記半円リング３７の中には二組の引っ掛かり溝４２が設けられ、前記引っ掛かり溝４２の中にはいずれも復帰スライド板３９がスライドできるように設けられ、前記大円溝６０の上下端壁には前記引っ掛かり溝４２と相対するスライド溝６１が設けられ、前記スライド溝６１の中には引っ掛かり板４０がスライドできるように設けられ、前記引っ掛かり板４０の片側端面には復帰機構４１が固定的に設けられ、半円リング３７を回転させることにより、引っ掛かり板４０を引っ掛かり溝４２の中に引っ掛け、これにより二つの蓋１５を共に固定し、固定後、半円形ねじ山リング１６により蓋１５を第一外殻１０と第二外殻２０との右端に回して締め、第一外殻１０と第二外殻２０との右端を密封し、密封後、復帰スライド板３９を押すことにより、再び半円形ねじ山リング３７を反方向に回転させ、引っ掛かり板４０をスライド溝６１の中に押し戻らせ、これにより第一外殻１０と第二外殻２０とを開けることができ、ロック作用を果たす。
【００１５】
使用する時、まず第一外殻１０と第二外殻２０を共に覆い、そして二組の内殻１２を円柱形に形成させ、ローラー４５により二組の内殻１２を第一外殻１０とい第二外殻２０とが形成した外チャンバ１１の中に入れ、そして二組の半円リング３７を回転させ、引っ掛かり板４０を引っ掛かり溝４２の中に引っ掛かり、そして半円形ねじ山リング１６を第一外殻１０と第二外殻２０との右側に回して締め、外チャンバ１１の右側を密封し、きつく締めた後に復帰スライド板３９を押し、再び半円リング３７を反方向に回転させ、引っ掛かり板４０をスライド溝６１の中に押し戻らせ、これにより第一外殻１０と第二外殻２０とを開けることができ、その時に手動で第一外殻１０と第二外殻２０とを開け、ローラー４５が転動溝４６の中に引っ掛かられたため、互いに係合する内殻１２も開けられ、その時メガネ２４を凹溝３０の中に置き支持し、第一外殻１０と第二外殻２０とを閉め、本装置を洗浄する時、蓋１５を回して開け、内殻１２を右側から引き出すことだけで第一外殻１０と第二外殻２０とを洗浄でき、装置が地面に落ちた時、第二エアーバッグ１４と第一エアーバッグ１３とが内殻１２に緩衝作用を果たし、第四エアーバッグ２１はメガネ２４に緩衝作用を果たす。
【００１６】
本発明の有益効果は：伝統的なメガネケースと比べ、本発明のメガネケースは引っ掛かり板の作用により第一外殻と第二外殻とをロックすることができ、地面に落ちた時に開くことがなく、メガネが中から出て壊れることを避け、同時に本発明のメガネケースは第四エアーバッグと第一エアーバッグなどの一セットの保護機構をつけ、メガネがメガネケースと直接に接触することがなく、メガネの壊れを避ける。
【００１７】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175139.tif 000003
【図２】
2020175139.tif 000004
【図３】
2020175139.tif 000005
【図４】
2020175139.tif 000006
【図５】
2020175139.tif 000007
【図６】
2020175139.tif 000008
【図７】
2020175139.tif 000009
【図８】
2020175139.tif 000010
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
正面視で、第一外殻と第二外殻とを含み、前記第一外殻と第二外殻との左側内壁にはいずれも第一エアーバッグが固定的に設けられ、前記第一外殻と第二外殻との底部が軸ピンによりヒンジによって連結され、前記第一外殻と前記第二外殻とが係合して外チャンバが形成され、前記外チャンバの中には内殻の組み合わせが二組左右に対称的にスライドできるように設けられ、二組の前記内殻の組み合わせが前後対称となった二つの内殻によって構成され、前記内殻が互いに係合し円柱形を形成し、二組の互いに係合する前記内殻の間には内チャンバが形成され、前記内チャンバの中にはメガネを保存する保存機構が設けられ、前記内殻の底端には二組の連結ロッドがヒンジによって連結され、二組の前記連結ロッドがヒンジによって連結され、前記第一外殻と前記第二外殻との右側にはいずれも蓋が設けられ、前記蓋の左側末端には半円形ねじ山リングが固定的に設けられ、前記半円形ねじ山リングが前記第一外殻と前記第二外殻とねじ山によって連結され、二組の前記蓋が係合し円を形成し、二組の蓋の間には大円溝が設けられ、前記大円溝の中には回転盤機構が設けられ、前記回転盤機構は二組の蓋を共に固定することができ、前記蓋の左側端面には二組の第二エアーバックが固定的に設けられ、前記第一外殻と前記第二外殻との内側端壁にはいずれも二組の転動溝が設けられ、二組の前記内殻の外壁にはいずれも固定ブロックが固定的に設けられ、前記固定ブロックの中にはバネ溝が設けられ、前記バネ溝の中には円柱ブロックがスライドできるように設けられ、前記円柱ブロックが衝撃吸収バネにより前記バネ溝の中に取り付けられ、前記円柱ブロックの片側端面には回転軸が回転できるように設けられ、前記回転軸の一端にはローラーが回転できるように設けられ、前記ローラーが前記転動溝の中に回転できるように設けられ、前記保存機構は前記内殻の上下両内壁に固定的に設けられた第三エアバッグを含み、前後両側に位置している前記内殻の内壁にはいずれも大円柱ブロックが固定的に設けられ、前記大円柱ブロックの中には円柱チャンバが設けられ、前記円柱チャンバの中には小円ブロックがスライドできるように設けられ、前記小円ブロックの一端と前記円柱チャンバの片側端壁との間には圧力バネが取り付けられ、前記小円ブロックのもう一側には押しロッドが固定的に設けられ、前記押しロッドの一端には矩形板が固定的に設けられ、前記矩形板の一端には第四エアーバッグが固定的に設けられ、前記第四エアーバッグがメガネをきつく挟み固定し、後ろ側に位置している前記内殻の内壁には支持柱が固定的に設けられ、前記支持柱には支持ブロックが固定的に設けられ、前記支持ブロックの前側端面には凹溝が設けられ、内殻を開けることによりメガネを凹溝の中に置き、内殻を閉めることにより、第四エアーバッグがメガネをきつく押し固定し、
前記回転盤機構は前記大円溝の中に回転できるように設けられた半円リングを含み、前記半円リングが上下に対称的に二組設けられ、二組の前記半円リングが協働してリング状の構造になり、互いに係合する前記半円リングの右端には小円溝が設けられ、前記半円リングの中には二組の引っ掛かり溝が設けられ、前記引っ掛かり溝の中にはいずれも復帰スライド板がスライドできるように設けられ、前記大円溝の上下端壁には前記引っ掛かり溝と相対するスライド溝が設けられ、前記スライド溝の中には引っ掛かり板がスライドできるように設けられ、前記引っ掛かり板の片側端面には復帰機構が固定的に設けられ、半円リングを回転させることにより、引っ掛かり板を引っ掛かり溝の中に引っ掛け、これにより二つの蓋を共に固定し、固定後、半円形ねじ山リングにより蓋を第一外殻と第二外殻との右端に回して締め、第一外殻と第二外殻との右端を密封し、密封後、復帰スライド板を押すことにより、再び半円形ねじ山リングを反方向に回転させ、引っ掛かり板をスライド溝の中に押し戻らせ、これにより第一外殻と第二外殻とを開けることができ、ロック作用を果たすことを特徴とする組み立て式落ち壊れ防止メガネケース。
【手続補正２】
【補正対象書類名】明細書
【補正対象項目名】全文
【補正方法】変更
【補正の内容】
【発明の詳細な説明】
【技術分野】
【０００１】
本発明はメガネケース技術分野を取り上げて、具体的には組み立て式落ち壊れ防止メガネケースである。
【背景技術】
【０００２】
ほとんどの市販のメガネケースは構造が簡単で、機能が単一である一方、落ち壊れ防止機能を持っていなく、地面に落ちた時に、メガネがメガネケースから出て壊れやすく、従って、組み立て式落ち壊れ防止メガネケースが必要とされる。
【先行技術文献】
【特許文献】
【０００３】
【特許文献１】中国特許出願公開第１０３４７９０１９号明細書
【発明の概要】
【発明が解決しようとする課題】
【０００４】
本発明の目的は組み立て式落ち壊れ防止メガネケースを提供し、それは上記の現在の技術中の問題を解決できる。
【課題を解決するための手段】
【０００５】
本発明の組み立て式落ち壊れ防止メガネケースは、第一外殻と第二外殻とを含み、前記第一外殻と第二外殻との左側内壁にはいずれも第一エアーバッグが固定的に設けられ、前記第一外殻と第二外殻との底部が軸ピンによりヒンジによって連結され、前記第一外殻と前記第二外殻とが係合して外チャンバが形成され、前記外チャンバの中には内殻の組み合わせが二組左右に対称的にスライドできるように設けられ、二組の前記内殻の組み合わせが前後対称となった二つの内殻によって構成され、前記内殻が互いに係合し円柱形を形成し、二組の互いに係合する前記内殻の間には内チャンバが形成され、前記内チャンバの中にはメガネを保存する保存機構が設けられ、前記内殻の底端には二組の連結ロッドがヒンジによって連結され、二組の前記連結ロッドがヒンジによって連結され、前記第一外殻と前記第二外殻との右側にはいずれも蓋が設けられ、前記蓋の左側末端には半円形ねじ山リングが固定的に設けられ、前記半円形ねじ山リングが前記第一外殻と前記第二外殻とねじ山によって連結され、二組の前記蓋が係合し円を形成し、二組の蓋の間には大円溝が設けられ、前記大円溝の中には回転盤機構が設けられ、前記回転盤機構は二組の蓋を共に固定することができ、前記蓋の左側端面には二組の第二エアーバックが固定的に設けられ、前記第一外殻と前記第二外殻との内側端壁にはいずれも二組の転動溝が設けられ、二組の前記内殻の外壁にはいずれも固定ブロックが固定的に設けられ、前記固定ブロックの中にはバネ溝が設けられ、前記バネ溝の中には円柱ブロックがスライドできるように設けられ、前記円柱ブロックが衝撃吸収バネにより前記バネ溝の中に取り付けられ、前記円柱ブロックの片側端面には回転軸が回転できるように設けられ、前記回転軸の一端にはローラーが回転できるように設けられ、前記ローラーが前記転動溝の中に回転できるように設けられる。
【０００６】
更の技術プラン、前記保存機構は前記内殻の上下両内壁に固定的に設けられた第三エアバッグを含み、前後両側に位置している前記内殻の内壁にはいずれも大円柱ブロックが固定的に設けられ、前記大円柱ブロックの中には円柱チャンバが設けられ、前記円柱チャンバの中には小円ブロックがスライドできるように設けられ、前記小円ブロックの一端と前記円柱チャンバの片側端壁との間には圧力バネが取り付けられ、前記小円ブロックのもう一側には押しロッドが固定的に設けられ、前記押しロッドの一端には矩形板が固定的に設けられ、前記矩形板の一端には第四エアーバッグが固定的に設けられ、前記第四エアーバッグがメガネをきつく挟み固定し、後ろ側に位置している前記内殻の内壁には支持柱が固定的に設けられ、前記支持柱には支持ブロックが固定的に設けられ、前記支持ブロックの前側端面には凹溝が設けられ、内殻を開けることによりメガネを凹溝の中に置き、内殻を閉めることにより、第四エアーバッグがメガネをきつく押し固定する。
【０００７】
更の技術プラン、前記回転盤機構は前記大円溝の中に回転できるように設けられた半円リングを含み、前記半円リングが上下に対称的に二組設けられ、二組の前記半円リングが協働してリング状の構造になり、互いに係合する前記半円リングの右端には小円溝が設けられ、前記半円リングの中には二組の引っ掛かり溝が設けられ、前記引っ掛かり溝の中にはいずれも復帰スライド板がスライドできるように設けられ、前記大円溝の上下端壁には前記引っ掛かり溝と相対するスライド溝が設けられ、前記スライド溝の中には引っ掛かり板がスライドできるように設けられ、前記引っ掛かり板の片側端面には復帰機構が固定的に設けられ、半円リングを回転させることにより、引っ掛かり板を引っ掛かり溝の中に引っ掛け、これにより二つの蓋を共に固定し、固定後、半円形ねじ山リングにより蓋を第一外殻と第二外殻との右端に回して締め、第一外殻と第二外殻との右端を密封し、密封後、復帰スライド板を押すことにより、再び半円形ねじ山リングを反方向に回転させ、引っ掛かり板をスライド溝の中に押し戻らせ、これにより第一外殻と第二外殻とを開けることができ、ロック作用を果たす。
【０００８】
使用する時、まず第一外殻と第二外殻を共に覆い、そして二組の内殻を円柱形に形成させ、ローラーにより二組の内殻を第一外殻とい第二外殻とが形成した外チャンバの中に入れ、そして二組の半円リングを回転させ、引っ掛かり板を引っ掛かり溝の中に引っ掛かり、そして半円形ねじ山リングを第一外殻と第二外殻との右側に回して締め、外チャンバの右側を密封し、きつく締めた後に復帰スライド板を押し、再び半円リングを反方向に回転させ、引っ掛かり板をスライド溝の中に押し戻らせ、これにより第一外殻と第二外殻とを開けることができ、その時に手動で第一外殻と第二外殻とを開け、ローラーが転動溝の中に引っ掛かられたため、互いに係合する内殻も開けられ、その時メガネを凹溝の中に置き支持し、第一外殻と第二外殻とを閉め、本装置を洗浄する時、蓋を回して開け、内殻を右側から引き出すことだけで第一外殻と第二外殻とを洗浄でき、装置が地面に落ちた時、第二エアーバッグと第一エアーバッグとが内殻に緩衝作用を果たし、第四エアーバッグはメガネに緩衝作用を果たす。
【発明の効果】
【０００９】
伝統的なメガネケースと比べ、本発明のメガネケースは引っ掛かり板の作用により第一外殻と第二外殻とをロックすることができ、地面に落ちた時に開くことがなく、メガネが中から出て壊れることを避け、同時に本発明のメガネケースは第四エアーバッグと第一エアーバッグなどの一セットの保護機構をつけ、メガネがメガネケースと直接に接触することがなく、メガネの壊れを避ける。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の組み立て式落ち壊れ防止メガネケースの内部全体構成略図
【図２】図２は本発明の図１のＣ―Ｃの略図
【図３】図３は本発明の支持柱の側面略図
【図４】図４は本発明の蓋の側面略図
【図５】図５は本発明の蓋の右側断面略図
【図６】図６は本発明の第一外殻と第二外殻とが開いた時の略図
【図７】図７は図２のＡの部分拡大略図
【図８】図８は図２のＢの部分拡大略図
【発明を実施するための形態】
【００１２】
図１〜８を参照し、本発明の組み立て式落ち壊れ防止メガネケースは、第一外殻１０と第二外殻２０とを含み、前記第一外殻１０と第二外殻２０との左側内壁にはいずれも第一エアーバッグ１３が固定的に設けられ、前記第一外殻１０と第二外殻２０との底部が軸ピン１８によりヒンジによって連結され、前記第一外殻１０と前記第二外殻２０とが係合して外チャンバ１１が形成され、前記外チャンバ１１の中には内殻１２の組み合わせが二組左右に対称的にスライドできるように設けられ、二組の前記内殻１２の組み合わせが前後対称となった二つの内殻１２によって構成され、前記内殻１２が互いに係合し円柱形を形成し、二組の互いに係合する前記内殻１２の間には内チャンバ２２が形成され、前記内チャンバ２２の中にはメガネを保存する保存機構９１が設けられ、前記内殻１２の底端には二組の連結ロッド２７がヒンジによって連結され、二組の前記連結ロッド２７がヒンジによって連結され、前記第一外殻１０と前記第二外殻２０との右側にはいずれも蓋１５が設けられ、前記蓋１５の左側末端には半円形ねじ山リング１６が固定的に設けられ、前記半円形ねじ山リング１６が前記第一外殻１０と前記第二外殻２０とねじ山によって連結され、二組の前記蓋１５が係合し円を形成し、二組の蓋１５の間には大円溝６０が設けられ、前記大円溝６０の中には回転盤機構９２が設けられ、前記回転盤機構９２は二組の蓋を共に固定することができ、前記蓋１５の左側端面には二組の第二エアーバック１４が固定的に設けられ、前記第一外殻１０と前記第二外殻２０との内側端壁にはいずれも二組の転動溝４６が設けられ、二組の前記内殻１２の外壁にはいずれも固定ブロック４９が固定的に設けられ、前記固定ブロック４９の中にはバネ溝５１が設けられ、前記バネ溝５１の中には円柱ブロック４８がスライドできるように設けられ、前記円柱ブロック４８が衝撃吸収バネ５０により前記バネ溝５１の中に取り付けられ、前記円柱ブロック４８の片側端面には回転軸４７が回転できるように設けられ、前記回転軸４７の一端にはローラー４５が回転できるように設けられ、前記ローラー４５が前記転動溝４６の中に回転できるように設けられる。
【００１３】
前記保存機構９１は前記内殻１２の上下両内壁に固定的に設けられた第三エアバッグ１９を含み、前後両側に位置している前記内殻１２の内壁にはいずれも大円柱ブロック５２が固定的に設けられ、前記大円柱ブロック５２の中には円柱チャンバ５３が設けられ、前記円柱チャンバ５３の中には小円ブロック５５がスライドできるように設けられ、前記小円ブロック５５の一端と前記円柱チャンバ５３の片側端壁との間には圧力バネ５４が取り付けられ、前記小円ブロック５５のもう一側には押しロッド５６が固定的に設けられ、前記押しロッド５６の一端には矩形板３３が固定的に設けられ、前記矩形板３３の一端には第四エアーバッグ２１が固定的に設けられ、前記第四エアーバッグ２１がメガネ２４をきつく挟み固定し、後ろ側に位置している前記内殻１２の内壁には支持柱２５が固定的に設けられ、前記支持柱２５には支持ブロック３１が固定的に設けられ、前記支持ブロック３１の前側端面には凹溝３０が設けられ、内殻１２を開けることによりメガネ２４を凹溝３０の中に置き、内殻１２を閉めることにより、第四エアーバッグ２１がメガネ２４をきつく押し固定する。
【００１４】
前記回転盤機構９２は前記大円溝６０の中に回転できるように設けられた半円リング３７を含み、前記半円リング３７が上下に対称的に二組設けられ、二組の前記半円リング３７が協働してリング状の構造になり、互いに係合する前記半円リング３７の右端には小円溝３８が設けられ、前記半円リング３７の中には二組の引っ掛かり溝４２が設けられ、前記引っ掛かり溝４２の中にはいずれも復帰スライド板３９がスライドできるように設けられ、前記大円溝６０の上下端壁には前記引っ掛かり溝４２と相対するスライド溝６１が設けられ、前記スライド溝６１の中には引っ掛かり板４０がスライドできるように設けられ、前記引っ掛かり板４０の片側端面には復帰機構４１が固定的に設けられ、半円リング３７を回転させることにより、引っ掛かり板４０を引っ掛かり溝４２の中に引っ掛け、これにより二つの蓋１５を共に固定し、固定後、半円形ねじ山リング１６により蓋１５を第一外殻１０と第二外殻２０との右端に回して締め、第一外殻１０と第二外殻２０との右端を密封し、密封後、復帰スライド板３９を押すことにより、再び半円形ねじ山リング３７を反方向に回転させ、引っ掛かり板４０をスライド溝６１の中に押し戻らせ、これにより第一外殻１０と第二外殻２０とを開けることができ、ロック作用を果たす。
【００１５】
使用する時、まず第一外殻１０と第二外殻２０を共に覆い、そして二組の内殻１２を円柱形に形成させ、ローラー４５により二組の内殻１２を第一外殻１０とい第二外殻２０とが形成した外チャンバ１１の中に入れ、そして二組の半円リング３７を回転させ、引っ掛かり板４０を引っ掛かり溝４２の中に引っ掛かり、そして半円形ねじ山リング１６を第一外殻１０と第二外殻２０との右側に回して締め、外チャンバ１１の右側を密封し、きつく締めた後に復帰スライド板３９を押し、再び半円リング３７を反方向に回転させ、引っ掛かり板４０をスライド溝６１の中に押し戻らせ、これにより第一外殻１０と第二外殻２０とを開けることができ、その時に手動で第一外殻１０と第二外殻２０とを開け、ローラー４５が転動溝４６の中に引っ掛かられたため、互いに係合する内殻１２も開けられ、その時メガネ２４を凹溝３０の中に置き支持し、第一外殻１０と第二外殻２０とを閉め、本装置を洗浄する時、蓋１５を回して開け、内殻１２を右側から引き出すことだけで第一外殻１０と第二外殻２０とを洗浄でき、装置が地面に落ちた時、第二エアーバッグ１４と第一エアーバッグ１３とが内殻１２に緩衝作用を果たし、第四エアーバッグ２１はメガネ２４に緩衝作用を果たす。
【００１６】
本発明の有益効果は：伝統的なメガネケースと比べ、本発明のメガネケースは引っ掛かり板の作用により第一外殻と第二外殻とをロックすることができ、地面に落ちた時に開くことがなく、メガネが中から出て壊れることを避け、同時に本発明のメガネケースは第四エアーバッグと第一エアーバッグなどの一セットの保護機構をつけ、メガネがメガネケースと直接に接触することがなく、メガネの壊れを避ける。
【００１７】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。